(57)【特許請求の範囲】
【請求項１】
第１のネジを有する第１のギア部材と、第２のネジを有するドライバと、前記第１および前記第２のネジとそれぞれ係合する２つのネジを有する第２のギア部材とを有するギア機構と、
使用者との接触部分となるハウジングであって、その中に前記ギア機構が同軸に配置される、ハウジングと、
用量設定の間、前記ギア機構と共に回転するよう前記ギア機構に接続される用量設定部材と、
リードスクリューと、
ネジを介して前記リードスクリューと係合し、前記第２のギア部材に軸方向に接続されると共に、回転可能に前記第１のギア部材に接続される投薬ナットと
を備え、
前記第１および前記第２のネジは、反対向きであり、
前記第１のギア部材および前記ドライバは軸方向の移動を可能にする軌道により回転可能に接続され、
用量が前記用量設定部材を回転させることにより設定される場合、前記ギア機構は前記ハウジングに対して回転することを特徴とする、用量送達装置。
【請求項２】
前記第１のギア部材と前記ドライバとの間の軌道が、これら第１のギア部材とドライバとの間の相対回転運動を可能にしないことを特徴とする、請求項１に記載の装置。
【請求項３】
前記第１のギア部材と前記ドライバとの間の回転可能な接続が、螺旋軌道であることを特徴とする、請求項１に記載の装置。
【請求項４】
前記ハウジングと螺合するダイヤルが、用量が設定される場合、用量設定部材と共に回転し、用量が注射される場合、前記用量設定部材と共に回転しないことを特徴とする、請求項１〜３のいずれか一項に記載の装置。
【請求項５】
前記ダイヤルが、一方向のラチェットを介して前記用量設定部材に接続されることを特徴とする、請求項１〜４のいずれか一項に記載の装置。
【請求項６】
前記リードスクリューが前記ハウジングに対して回転がロックされることを特徴とする、請求項１〜５のいずれか一項に記載の装置。
【請求項７】
前記用量設定部材は用量設定の間、前記ドライバに回転可能に接続されることを特徴とする、請求項１〜６のいずれか一項に記載の装置。
【発明の詳細な説明】
【技術分野】
【０００１】
本発明は、用量設定部材を回転させ、それにより、プッシュボタンが、装置の一端から上昇することによって用量が設定され得、次いで、上昇していない位置まで戻るようにプッシュボタンを押し、それにより、カートリッジ内のピストンと協働するリードスクリューを動かし、針を通してカートリッジの外部へ薬剤を放出することにより、設定用量が注射され得る用量送達装置に関する。
【背景技術】
【０００２】
特許文献１から、ネジを有するリードスクリューと係合する管状注射ボタンを回転させ、それにより、注射装置の端部から注射ボタンを上昇させることによって、用量が設定される注射装置が知られている。固定された停止部と当接するまで注射ボタンを下方に押すことにより、リードスクリューが注射ボタンの動作に対応する距離を動く。リードスクリューはカートリッジ内のピストンと嵌合し、薬剤をカートリッジから放出する。この種の注射装置は射出力をカートリッジのピストンに直接伝えるが、ギアリングを設けておらず、すなわち、注射ボタンの線形動作がリードスクリューの線形動作に正確に対応する。
【０００３】
直接伝えられる射出力により、小用量の薬剤は注射ボタンを非常にわずかしか動作させないので、使用者に、今注射が進行しているか否かをより明確にできることは、注射ボタンとリードスクリューとの間のギア比についての利点である。指の強さが弱い使用者は、同時に、注射を行うのに弱い射出力を望むことができる。
【０００４】
特許文献２は、ギアリングを備え、摩擦に起因するエネルギー損失がほとんど無く、それにより、低い射出力を有するペンを記載している。ナットが、リードスクリューに沿って回転する。ナットは、ナットの軸に垂直な軸を有する垂直歯車を備え、その片側でハウジングと係合し、他の側で注射ボタンを上昇させる。注射ボタンが押される場合、ナットおよびリードスクリューは、注射ボタンとリードスクリューとの間の２：１のギア比で動く。この機構は互いに対して摺動する非常に少しの表面を提供し、従って、摩擦に起因する力の損失を非常に制限する。しかしながら、この機構はかなり複雑であり、簡単な使い捨ての用量送達装置に適していない。
【０００５】
特許文献３は、同じ方向に回転される第１および第２のネジならびにギア機構の直接的な部分ではないリードスクリュー上の第３のネジに基づいたギア機構を有するペンを記載している。リードスクリューはナットに接続される。非回転ドライバは第１のネジを介してダイヤルと係合し、ダイヤルは第２のネジを介してハウジングと係合する。第２のネジのピッチは第１のネジのピッチより大きく、それらの間の差はリードスクリューのピッチと等しい。ドライバはまた、ナットと軸方向に接続される。用量セレクタが用量を設定するために回転される場合、ナットおよびダイヤルの両方が回転され、ダイヤルはより長い距離を上昇するが、ナットおよびドライバは注射される薬剤の量に対応する距離を上昇する。設定用量が注射される場合、ナットはドライバに対して回転がロックされる。ダイヤルが装置内に押されると、ダイヤルの回転により、非回転ドライバはダイヤル内に後退し、その結果生じるドライバの移動は設定用量と等しくなる。ここで、ナットはリードスクリューと共にゼロ位置に戻るように押され、インスリンの放出を引き起こす。
【０００６】
特許文献４に記載されている装置において、両方非常に大きいピッチを有する、ハウジングと係合する第１のネジおよびドライバと係合する第２のネジを有するギアリングナットを含むギアリングに起因して投薬力は非常に低い。ドライバはハウジングに対して回転がロックされる。２つのネジは反対向きである。ギア比は、２つのピッチの比＋１、（（ピッチ１／ピッチ２）＋１）として計算される。ギアリングナットは、非回転のリードスクリューに螺合される投薬ナットと軸方向に接続される。用量が設定される場合、投薬ナットは用量セレクタを介して回転され、上昇するが、ギアリングに起因して、用量セレクタは、さらにドライバによっても上昇する。用量セレクタはまた、プッシュボタンとしても作用する。プッシュボタンが押され、設定用量が注射される場合、ドライバは下方に押され、それにより、ギアリングナットはドライバとハウジングとの間で回転する。これにより、ギアリングナットは軸方向に移動するが、ドライバより短い距離である。注射の間、投薬ナットは回転が防がれ、ギアリングナットはここで投薬ナットおよびリードスクリューを押し、それにより、薬剤を放出する。用量が設定される場合、ダイヤルは用量セレクタに接続される。用量が注射される場合、ダイヤルは切断され、ダイヤルはドライバにより下方に押され、それにより、ハウジングと係合するネジに起因してダイヤルを回転させる。
【０００７】
上記の発明は非常に低い投薬力を有する簡便な装置を提供するが、製造するのがかなり複雑であり、ドライバとダイヤルとの間の摺動面のための直径はかなり大きく、摩擦に対して敏感になる。
【先行技術文献】
【特許文献】
【０００８】
【特許文献１】欧州特許第０３２７９１０号
【特許文献２】欧州特許第１５６８３８９号
【特許文献３】国際公開第２００５／０１８７２１号
【特許文献４】国際公開第２００９０３９８５１号
【発明の概要】
【発明が解決しようとする課題】
【０００９】
本発明の目的は、摩擦に対して敏感ではなく、自動化組み立てに好適である、非常に低い射出力を有するギアリングを備える用量送達装置を提供することである。
【課題を解決するための手段】
【００１０】
本発明の目的は、ハウジングと、ダイヤルおよび用量設定部材をさらに備える用量設定システムと、プッシュボタン、前記ハウジングに対して回転がロックされるリードスクリュー、およびギア機構をさらに備える用量注射システムとを備える用量送達装置により達成され得る。ギア機構はさらに、第１のギア部材、軸方向の動作を可能にするトラックにおいて該第１のギア部材に接続されたドライバ、およびドライバと第１のギア部材との間に提供される第２のギア部材（これはさらに後で説明される）を備える。
【００１１】
用量設定システムは、ダイヤルが、ネジを介してハウジングと係合し、用量が設定される場合、用量設定部材に回転可能に接続され（つまり、共に回転するように接続され）、設定用量が注射される場合、回転可能な接続が解除される、種類のものである。ダイヤル、ドライバおよび用量設定部材は、用量が設定される場合、同じ距離まで動く。ダイヤルを運んでいく（引き連れていく）用量設定部材を回転させることにより、用量は設定される。注射の間、ダイヤルは、用量設定部材から外され（つまり切り離され）、下方に押され、ハウジングとのネジ係合に起因して回転する。用量設定部材およびダイヤルにおける摺動面は装置の上部にあり、従ってそれらは非常に小さな直径を有し、それにより、エネルギーの損失をほとんど生じない。
【００１２】
ダイヤルと用量設定部材との間の回転可能な結合は、一方向または二方向のいずれであってもよいラチェットである。ラチェットにおける抵抗に起因する部品の間のトルクは、ダイヤルとハウジングとの間の摩擦に起因するトルクより大きくなければならない。なぜならば、これにより、用量設定部材はダイヤルを運んでいくことになるからである。注射の間、用量設定部材は回転しないか、またはそれはダイヤルより少なく回転するので、ダイヤルは、ハウジングとのそのネジ係合において強制的に回転し、それにより、用量設定部材とダイヤルとの間のラチェットはカチっという音を生じる。
【００１３】
別の実施形態において、ダイヤルと用量設定部材との間の接続は、係合または外すことができる各部品上の歯を含む、より剛性な接続である。
【００１４】
非回転リードスクリューはカートリッジ内のピストンと協働する。リードスクリューは、ダイヤルとハウジングとの間のネジより小さなピッチを有するネジにより投薬ナットと係合する。投薬ナットは、以下にさらに記載するギア機構に対して回転がロックされる。用量を設定するために、用量設定部材およびギア機構は回転し、それにより、投薬ナットはリードスクリューと共に上昇するが、ダイヤルおよび用量設定部材の上昇より小さい。用量が注射される場合、プッシュボタンに付与される力は、注射の間に回転しないギア機構を介して投薬ナットに移されるつまり伝達される。投薬ナットがギア機構に対して回転がロックされ、その結果、注射の間に回転しないので、また、リードスクリューが回転をロックされるので、リードスクリューは投薬ナットにより前方に動き、カートリッジ内のピストンが薬剤を放出する。
【００１５】
ギア機構は、第１（外側）および第２（内側）のギア部材を備え、投薬ナットは、第１のギア部材に回転可能に接続され、第２のギア部材に軸方向に接続される。第２のギア部材は反対向きである２つのネジを備える。すなわち、１つが通常の右回りのネジであり、他方が左回りのネジである。右回りのネジ（または左回りのネジ）は第１のギア部材と接続され、他方のネジは用量設定部材に対して回転がロックされるドライバと接続される。ドライバおよび第１のギア部材は互いに対して回転がロックされる。用量が設定される場合、投薬ナットは第２のギア部材を投薬ナットと共に強制的に上昇させ、これにより、第２のギア部材は、第１ギア部材とのネジ係合に起因して第１のギア部材に対して回転する。これにより、ドライバ（およびそれにより、用量設定部材およびプッシュボタン）はさらにもっと上昇する。なぜならば、第２のギア部材の上昇により直接的に、また、第２のギア部材とドライバとの間の相対運動により、これら両方で影響を及ぼされるからであり、この第２のギア部材とドライバとの間の相対運動により、ドライバは上昇する。なぜならば、そのネジは第２のギア部材と第１のギア部材との間のネジと反対向きであるからである。
【００１６】
従って、第１のギア部材およびドライバが互いに対して長手方向に移動するとき、第２のギア部材は、回転し、長手方向にも動くが、プッシュボタンにより動く距離より短い距離である。設定用量が注射される場合、プッシュボタンに付与される力は、ドライバを介して、第２のギア部材ならびにさらに投薬ナットおよびリードスクリューに移る。ギア比を規定するのは、ピッチ間の比のみであるので、第２のギア部材におけるピッチは、ネジが自動ロックしない限り任意の値に設定されてもよい。このことは、摩擦に起因するピストン上の力の損失が非常に低くなり得ることを意味する。
【００１７】
用量が設定される場合、カチっという音が生じる。第１のギア部材が回転する場合、第１のギア部材におけるラチェットアームは、ハウジングにおける溝の中および外へ半径方向に移動する。
【００１８】
用量が、カートリッジ内に残っている含有量より高く設定されることを防止するために、リードスクリューの一端（上側端部）にはネジが形成されておらず、リードスクリューのネジの端部に到達したとき、投薬ナットしたがってドライバおよび用量設定部材はさらなる回転をブロックされる。
【００１９】
用量送達装置が、使い捨てまたは再充填可能のいずれかで、さらに１つ、２つまたは複数のカートリッジを同時に含むように設計されてもよいことは留意されるべきである。用量送達装置が再充填可能に設計される場合、リードスクリューは、カートリッジホルダが外されたとき、装置内に後方に移動できなければならない。
【００２０】
別の実施形態において、第１のギア部材およびドライバは、第２のギア部材上のネジより大きいピッチを有する螺旋軌道を介して回転可能に接続される。これにより、ドライバが注射の間にわずかに回転するので、ダイヤルとドライバとの間の少ない相対的回転が生じ得、それにより、ドライバが注射の間にダイヤルを下方に押す場合、エネルギーの損失が少なくなる。非常に大きなギアリングが望まれる場合、このことはまた、螺旋軌道およびドライバと第２のギア要素との間のネジのピッチが同じ方向である場合、ネジのピッチが、第２のギア要素の軸方向の位置が不正確になるほど高くなることを回避できるという利点を有する。
【００２１】
投薬ナットは、第１のギア部材またはドライバのいずれかに回転可能に接続されてもよい。
【００２２】
なおさらなる実施形態において、投薬ナットは存在せず、２つの反対側に回るネジを有する第２のギア部材はまた、第３のネジを介してリードスクリューと係合する。これは、第２のギア部材が全ギア機構と共に、および用量が設定される場合、第１のギア部材に対して回転するが、用量が注射される場合、第１のギア部材に対してのみ回転するので、可能である。従って、第２のギア部材は、用量が設定される場合、および用量が注射される場合、ハウジングに対して同じ回転数で回転しない。第２のギア部材とリードスクリューとの間のネジ係合は、用量が設定される場合、リードスクリューが軸方向に動かないことを確実にするサイズのピッチを有するべきである。リードスクリューおよび第２のギア部材が注射の間に一緒に回転することを確実にするために、リードスクリューとハウジングとの間の非回転接続は、第１と第２のギア部材との間と同じピッチを有するネジと交換されてもよい。このように、カートリッジ内に残っている流体よりも多い用量が設定できないことが確保される。
【００２３】
以下において、本発明を図面を参照してさらに詳細に記載する。
【図面の簡単な説明】
【００２４】
【図１】図１は、ダイヤルと用量設定要素との間にラチェット接続部を備える本発明に係る装置の実施形態の斜視図を示す。
【図２】図２は、ダイヤルと用量設定要素との間にラチェット接続部を備える本発明に係る装置の実施形態の拡大図を示す。
【図３】図３は、ダイヤルと用量設定要素との間にラチェット接続部を備え、用量を設定する準備ができている、本発明に係る装置の実施形態の垂直断面図を概略的に示す。
【図４】図４は、ダイヤルと用量設定要素との間にラチェット接続部を備え、用量が設定されている、本発明に係る装置の実施形態の垂直断面図を概略的に示す。
【図５】図５は、ダイヤルと用量設定要素との間にラチェット接続部を備え、設定用量が注射されている、本発明に係る装置の実施形態の垂直断面図を概略的に示す。
【図６】図６は、ダイヤルと用量設定要素との間に歯接続部を備える本発明に係る装置の実施形態の拡大図を示す。
【図７】図７は、ダイヤルと用量設定要素との間に歯接続部を備え、用量を設定する準備ができている、本発明に係る装置の実施形態の垂直断面図を概略的に示す。
【発明を実施するための形態】
【００２５】
以下において、「上方」という用語は用量設定部材１０２の方向を指し、「下方」という用語は針端部の方向を指す。
【００２６】
図１は斜位像において本発明に係る装置を示す。設定用量の量を表示できる窓１６を備えるハウジング１、用量を設定する用量設定部材２、設定用量を注射するプッシュボタン４、および両頭針を取り付けるためのネジを備えるカートリッジホルダ３が示される。カートリッジホルダ３は薬剤充填カートリッジ１２を含む（図２を参照のこと）。カートリッジ１２は、針を通して外側へカートリッジ１２から設定用量の薬剤を放出するために注射システムのリードスクリュー１０と協働するピストン（図３を参照のこと）を備える。装置の異なる要素間の協働を以下に記載する。
【００２７】
図３に示すように、投薬ナット９は、ネジ接続３４／３５を介してリードスクリュー１０と係合する（図２においてリードスクリュー上にネジ３４が見られる）。リードスクリュー１０は、キー／溝接続１３／３６を介してハウジング１に対する回転をロックされる。投薬ナット９は、ドライバ８および用量設定部材２に対する回転をロックされる第１のギア部材６（キー／溝接続３１／３２、図２を参照のこと）に対する回転をロックされ、ドライバ８は用量設定部材２に固定されるので、それらは一つの部分として作用する。第１のギア部材６は、ハウジング１における溝１４と協働する複数の突起部２９（図２を参照のこと）を底部に有し、それにより、用量設定部材２が回転する場合、第１のギア部材６は、回転周囲の等間隔の特定の位置を示し、同時に用量が設定される場合、カチッという音がする。
【００２８】
ギア機構は、第１のギア部材６、第２のギア部材７およびドライバ８を含み、用量設定部材２が用量を設定するために回転する場合、投薬ナット９が同様に回転するように、ギア機構は投薬ナット９と用量設定部材２との間に配置され、これにより、リードスクリュー１０とのネジ係合３４／３５に起因して投薬ナット９が上昇するが、ドライバ８および用量設定部材２は、ギア機構に起因して、より長い距離、上昇する。ギア機構は、設定用量をより容易に注射するため、プッシュボタンが注射の間に動くことを使用者がよく見えるようにするため、およびダイヤル５に書かれた数字のための十分な空間を提供するために提供される。
【００２９】
第２のギア部材７は投薬ナット９に軸方向に接続されるが、投薬ナット９に対して回転できる。これは図３に見られ得る。第２のギア部材７の外面に２つのネジが存在する。これらは、反対向き、すなわち、一方が通常の右回りのネジおよび他方が左回りのネジである。右回りのネジは第１のギア部材６と係合し、左回りのネジはドライバ８と係合する。用量が設定される場合、投薬ナット９は、軸方向の接続に起因して第２のギア部材７を投薬ナット９と共に強制的に上昇させ、これにより、第１のギア部材とのネジ係合２７／３９に起因して第２のギア部材７が回転する（図３を参照のこと）。これにより、ドライバ８は第２のギア部材７より多く上昇する。なぜならば、ドライバ８は、２通りに影響を受けるからである。即ち、第２のギア部材７により軸方向に上昇し、２つの要素の間のネジ係合２４／２６において回転する。ネジは、第２のギア部材７と第１のギア部材６との間のネジ接続２６／３９と反対向きなので、これにより、ドライバ８はさらに上昇する。
【００３０】
このことは、キー／溝２３／３３により相対回転がロックされる（つまり、相対回転できない）第１のギア部材６およびドライバ８が、互いに対して軸方向に移動する場合、第２のギア部材７が、回転し、ドライバ８が動く軸方向の距離より短い距離を軸方向に動くことを意味する。用量が注射される場合、プッシュボタン４に付与される力は、用量設定部材４、ドライバ８および第２のギア部材７を介して投薬ナット９に移される。ドライバ８が投薬ナット９およびリードスクリュー１０より長い距離を動くので、距離のギアリングが達成され、摩擦に起因する力の損失がギアリングに起因する過剰な力より低いので、力のギアリングが達成される。
【００３１】
第２のギア部材７におけるネジのピッチは、ネジが自動ロックしない限り、任意の値に設定されてもよく、それにより、それらは非常に大きく設定されてもよい。これは摩擦に起因する投薬力の損失が非常に低くなり得ることを意味するので、非常に有益である。
【００３２】
二重ナットにおける２つのネジの方向は交換可能であってもよいので、右回りのネジは左回りになり、逆も同様である。重要なことは、それらが反対方向に向いていることである。
【００３３】
設定用量の量を表示できるようにするために、番号が付けられたダイヤル５は装置の一部である。これは図３に最も明確に見られ得る。ダイヤル５はネジ接続１５／１７によりハウジング１と係合する。ダイヤル５は、用量設定部材２の内側円筒面における歯２０と相互作用する２つのラチェットアーム１８を有する。用量設定部材２が用量を設定するように回転する場合、ラチェットアーム１８に起因する用量設定部材２とダイヤル５との間の抵抗が、摩擦に起因するダイヤル５とハウジング１との間のネジにおける抵抗より高いので、ラチェットアーム１８はダイヤル５と一緒に回転する。設定用量が訂正される場合、用量設定部材２は１つのラチェットアーム１８のロック方向において回転し、ダイヤル５は一緒に回転する。
【００３４】
用量が注射される場合、ダイヤル５と用量設定部材２との間のエネルギーの損失をさらに減少させるために、ドライバ８と第１のギア部材６との間の接続２３／３３が、第２のギア部材７のピッチより大きいピッチを有する螺旋軌道として形成され得る。これにより、設定用量が注射される場合、用量設定部材２はゆっくりと回転し、回転方向がダイヤル５と同じ方向に構成される場合、ダイヤル５と用量設定部材２との間の相対運動はより小さくなり、エネルギーの損失はそれに応じて減少する。第２のギア部材７におけるネジ２６のピッチおよびハウジング１と第１のギア部材６との間の増分の数は、この実施形態を機能させるために、適切に修正されなければならない。部品の他の修正も必要とされる。
【００３５】
図３は用量を設定する準備ができている装置を示す。用量を設定するために、用量設定部材２が回転し、それにより、装置は、ハウジング１における溝１４と協働する第１のギア部材６におけるクリック突起部２９に起因して各増分についてカチッという音を生じ、各クリックは、例えばカートリッジ内の薬剤の単位に対応する。さらに、このインターフェースは用量設定部材の複数の好ましい位置を提供する。用量設定部材２はドライバ８および第１のギア部材６を回転させ、これによりここで、ゼロ位置から投薬ナット９（キー溝接続３１／３２を介して第１のギア要素６に対して回転がロックされている）を上昇させる。ドライバ８も同様に上昇するが、ギア機構のために、それは投薬ナット９より多く上昇する。ダイヤル５は、そのダイヤル５におけるラチェットアーム１８との係合に起因して用量設定部材２と共に回転し、ドライバ８の上昇に対応する距離を上昇する。
【００３６】
図４において、用量が設定され、装置は注射する準備ができている。用量設定部材２、ドライバ８および第１のギア部材６は回転し、ダイヤル５、ドライバ８、用量設定部材２およびプッシュボタン４がある距離を移動し、第２のギア部材７および投薬ナット９がそれより短い距離を移動することを明確に見ることができる。
【００３７】
図５において、設定用量が注射されてしまっている。プッシュボタン４が押され、それにより、ドライバ８が下方に押され、第２のギア部材７が回転し、下方に移動している。しかしながら、第２のギア部材７、投薬ナット９およびリードスクリュー１０は、プッシュボタン４、ドライバ８および用量設定部材２より短い距離を下方に動いている。ダイヤル５は、下方に押され、回転してゼロ位置に戻っており、用量セレクタ２内の歯２０とダイヤル５におけるラチェットアーム１８との間の相互作用に起因してカチッという音が生じてしまっている。押す力は用量設定部材２における摺動面３７を介して与えられる。この接続は装置のプッシュボタン端部およびドライバの上方であるので、それは非常に小さな直径に配置されることができ、結果として非常にわずかなエネルギーの損失となる。これは非常に有益である。用量が設定されたとき、リードスクリュー１０が投薬ナット９の動きに対応する距離を移動したことが見られ得る。結果として、また、ピストンワッシャ１１およびカートリッジ内のピストンも動き、薬剤が放出される。
【００３８】
図６および７は、第１のギア部材１０６とドライバ１０８との間の螺旋軌道を有し、ダイヤル１０５と用量設定部材１０２との間に解放可能な歯接続を有し、プッシュボタンとしても作用する用量設定部材１０２を有する、本発明に係る別の実施形態を示す。図７に見られ得るように、投薬ナット１０９は、ネジ接続１３４／１３５を介してリードスクリュー１１０と係合し、第２のギア部材１０７と軸方向には接続するが、回転可能に接続せず、投薬ナット１０９における歯１３１および第１のギア部材１０６の内側の溝１３２を介して、第１のギア部材１０６と回転可能に接続するが、軸方向に接続していない。リードスクリュー１１０は、ハウジング１０１に固定されるロック部分１４７によりハウジングに対する回転がロックされ、リードスクリュー１１０は回転せずに下方に摺動できる。第２のギア部材１０７におけるネジ１２７は、第１のギア部材１０６におけるネジ部分１３９と係合し、第２のギア部材１０７におけるネジ１２６はドライバ１０８におけるネジ部分１２４と係合する。第１のギア部材１０６およびドライバ１０８はさらに、ドライバ１０８における螺旋軌道１２３および第１のギア部材１０６における軌道部分１３３を介して接続される（それぞれのネジおよび軌道は図６に最適に見られ得る）。第１のギア部材１０６は、ハウジング１０１に対して回転でき、ハウジング１０１に固定されるクリックブッシング１４６における歯１１４と協働するクリック突起部１０９によりカチッという音を生じる（図６に最適に見られる）。コネクタ１４２は、用量設定部材１０２に軸方向に接続され、コネクタ１４２におけるキーを介してドライバ１０８に回転可能に接続される。用量設定部材１０２およびコネクタ１４２は、嵌め込みにより合体され、短い距離の軸方向の動きが可能であり、その動きにより、用量設定部材１０２における歯１４３は、番号が付けられたダイヤル１０５における歯１４９を外し（つまり係合解除し）、コネクタ１４２における歯１４４は、番号を付けられたダイヤル１０５における歯１５０を外す。バネ１４０およびバネブッシング１４１が、ダイヤル１０５を押し戻して用量設定部材１０２およびコネクタ１４２と係合させるように、バネ１４０、バネブッシング１４１および用量設定部材１０２は、ダイヤル１０５およびコネクタ１４２と接続される。２つの部品（ドライバ１０８及びダイヤル１０５）間の回転運動のみが可能になり、ダイヤル１０５が注射に対してさらに押され得ないように、ドライバ１０８におけるフランジ１５２はダイヤル１０５内に留まる。ダイヤル１０５は、ネジ要素１４５と係合するネジ接続１１５／１１７を介してハウジング１０１に固定される。
【００３９】
用量設定部材１０２が用量を設定するために回転される場合、部品（用量設定部材１０２及びダイヤル１０５）の間の歯係合１４３／１４９に起因してダイヤル１０５も同様に回転される。ダイヤル１０５とコネクタ１４２との間の歯係合１４４／１５０は、コネクタ１４２も同様に回転し、それによりまた、ドライバ１０８および第１のギア部材１０６も回転するが、第１のギア部材１０６は、２つの部品（ドライバ１０８及び第１のギア部材１０６）の間の螺旋経路接続１２３／１３３およびそれらの間の相対的な軸方向の動きに起因してドライバ１０８より少なく回転することを確実にする。第１のギア部材１０６は、用量設定の間にカチッという音を生じ、クリックブッシング１４６内の歯１１４と協働する第１のギア部材１０６における突起部１２９に起因する薬物の特定の量に対応する特定の位置において用量設定を示す。投薬ナット１０９および第２のギア部材１０７は、投薬ナット１０９とリードスクリュー１１０との間のネジ係合に起因して押し上げられ、これにより、第１のギア部材１０６とのネジ係合１２７／１３３に起因して第２のギア部材１０７が回転する。ドライバ１０８はここで、押し上げられると共に、ネジ接続１２４／１２６に起因して第２のギア部材１０７により回転して上昇し、その結果、投薬ナット１０９および第２のギア部材１０７より大きく動く。ダイヤル１０５はハウジング１０１に固定されるネジ要素１４５とのネジ接続１１５／１１７に起因してドライバ１０８と同じ距離を動く。
【００４０】
用量設定部材１０２が押されて、設定用量が注射される場合、用量設定部材１０２およびコネクタ１４２はダイヤル１０５から外される。コネクタ１４２が、ドライバ１０８とのキー／溝接続の端部に到達した後、ドライバ１０８は押し下げられる。第１のギア部材１０６は注射の間、回転せず、ドライバ１０８およびコネクタ１４２はわずかに回転する。第２のギア部材１０７はドライバ１０８により押し下げられるが、第１のギア部材１０６におけるネジ部分１３３およびドライバ１０８におけるネジ部分１２４と係合する第２のギア部材１０７における２つの反対向きのネジ１２６／１２７に起因して、短い距離を動く。第１のギア部材１０６および投薬ナット１０９は、注射の間、回転しないので、投薬ナット１０９が押し下げられると、それが非回転リードスクリュー１１０も押し下げ、これにより、足部１１１およびカートリッジ１１２におけるピストンを押し下げ、薬剤が針を通して放出される。
【図１】
0005903102.tif 000002
【図２】
0005903102.tif 000003
【図３】
0005903102.tif 000004
【図４】
0005903102.tif 000005
【図５】
0005903102.tif 000006
【図６】
0005903102.tif 000007
【図７】
0005903102.tif 000008